(57)【要約】      （修正有）【課題】制電性の優れた防塵服及び帯電防止靴を提供する。【解決手段】導電糸が織り込まれ又は編み込まれた生地の一方表面をウレタンフィルムでラミネートし、このウレタンフィルム表面を導電性樹脂によってコーティングしてなる導電性生地を用いて防塵服１０を縫製する。また、導電性を有する靴底と中底とを備えた帯電防止靴の内側に前記導電性生地を適宜部位に縫着する。そして、この防塵服表面と帯電防止靴の内側に縫着された導電性生地表面とを適宜手段をもって通電可能に接続する。【選択図】図１
0003152015.tif 000002
【実用新案登録請求の範囲】
【請求項１】
導電糸が格子状又はストライプ状に織り込まれ又は編み込まれた生地の一方表面を導電性樹脂によってコーティングしてなる導電性生地を用いて縫製したことを特徴とする防塵服。
【請求項２】
導電糸が格子状又はストライプ状に織り込まれ又は編み込まれた生地の一方表面をウレタンフィルムでラミネートし、さらに、当該ウレタンフィルム表面を導電性樹脂によってコーティングしてなる導電性生地を用いて縫製したことを特徴とする防塵服。
【請求項３】
導電性を有する靴底と中底とを備え、その内側適宜部位に請求項１又は請求項２に記載の導電性生地からなる導電布を中底ないし靴底と通電するよう縫着したことを特徴とする帯電防止靴。
【請求項４】
請求項１又は請求項２に記載の防塵服のズボン部表面と請求項３に記載の帯電防止靴に縫着された導電布表面とを適宜手段をもって接続したことを特徴とする防塵服及び帯電防止靴。
【考案の詳細な説明】
【技術分野】
【０００１】
本考案は、半導体等の電子部品を製造するクリーンルーム等において使用される防塵服及び帯電防止靴に関する。
【背景技術】
【０００２】
クリーンルーム等で着用される作業着は、作業対象物（商品）を損傷又は汚染しないよう防塵服の着用が義務づけられている。そして、この種の防塵服には非発塵性や耐久性が求められているため、天然繊維ではなく合成繊維からなる布帛基生地（生地）が多用されている。しかしながら、合成繊維からなる生地は一方で帯電しやすいという欠点があり、静電気による浮遊物の吸着現象が生じてかえって非発塵性が損なわれたり、静電気のスパーク現象による火災の発生や爆発等の危険が伴う等の問題がある。特に、電子部品を取り扱う作業現場においては、微細なスパーク現象が生じただけでも商品の損傷が避けられないことから、このような作業環境下で使用される防塵服にあっては、帯電防止（制電）性を備えていることが必須条件となっている。
【０００３】
従来の防塵服にあっては、制電性を得るために金属繊維や炭素繊維等の導電繊維からなる糸や、無電解メッキといった化学処理によって得られる導電性繊維からなる糸（導電糸）を適当な間隔で織り込むか編み込むかして布地に導電性を与える方法。また、繊維又はその布地に親水性ポリマー等の吸水性物質を吸着させることにより素材そのものを改質し導電性を持たせる方法。更には、防塵服に導電性部材を別に取り付ける方法等が提案されている。
【０００４】
しかしながら、防塵服に導電糸を織り込んだり編み込んだりした布地を使用したとしても、導電糸で囲まれた生地の部分にまで導電性を持たせることはできず充分な制電効果を得ることができない。また、衣服を形成するためには前身頃、後身頃、袖部、ズボン部等の各パーツ毎に裁断された生地を縫合しなければならないのであるが、その際、導電糸相互の接続までも行うよう縫合することは極めて困難であり、そのため、各パーツ地毎に電圧値が異なることから発生する放電現象を防止することができない問題がある。また、合成繊維又はその布地に親水性ポリマー等の吸水性物質を吸着させる方法にあっては、低湿度雰囲気下では比抵抗値が高くなって十分な制電効果が得られず、しかも、繰り返しの洗濯によってその効果が低下する等の問題がある。また、防塵服に導電性部材を別途取り付ける方法にあっては、取り付けられた部材が邪魔になって作業効率が低下したり着心地が悪くなったりする等の不都合がある。
【０００５】
クリーンルーム等で使用される作業靴についても、上記防塵服の場合と同様に非発塵性や耐久性のほか、帯電防止性能を備えていることが求められている。特にこの種の作業靴にあっては、人体や作業服で発生した静電気を床に逃すための重要なアース作用を担うため制電性を備えることは重要な要素となっていて、そのため、従来より導電性樹脂によって作られた靴底や中底を採用した作業靴が提供されていて、その靴底や中底に使用する導電性樹脂の組成や構造についての提案もされている。
【０００６】
しかしながら、どのように導電性の優れた靴底及び中底を採用したとしても、人体と直接的又は間接的に接する導電域は足裏面に相当する中底面でしかなく、また、防塵服と中底ないし靴底が直接触れることは通常ないので、人体や防塵服で発生した静電気を効率よく床に逃すには不十分なものであった。このため、靴底や中底の中に金属等のより導電性のある部材を設けて足裏から接地面までの導電効率を上げるとか、防塵服と中底ないし靴底との間を別に用意した導電性部材で繋ぐかしてアース効果の向上を図るなどの方法も提案されているが、これらは、何れも構造が複雑であったりコストが掛かったり、或いは靴を履いた際に足当たりが悪い等の不都合を有するものである。
【０００７】
【特許文献１】実開平０１−１３６１１２
【特許文献２】特開平０６−３１６８７２
【特許文献３】特開２０００−１７８８１０
【特許文献４】特開２００４−０３１０７１
【特許文献５】実開２００８−１３３５６１
【特許文献６】実公平２−２８７２１
【特許文献７】特開昭５９−６２００３
【特許文献８】実用新案登録第３５２１３１４号
【考案の開示】
【考案が解決しようとする課題】
【０００８】
本考案は、上記した従来技術の問題点に鑑みなされたもので、より制電性の優れた防塵服及び帯電防止靴を提供することを課題とする。
【課題を解決するための手段】
【０００９】
上記課題を解決するため、請求項１の考案にあっては、防塵服を縫製する生地として、導電糸が格子状又はストライプ状に織り込まれ又は編み込まれた生地の一方表面を導電性樹脂によってコーティングしてなる導電性生地を用いたことを特徴とする。
【００１０】
請求項２の考案にあっては、防塵服を縫製する生地として、導電糸が格子状又はストライプ状に織り込まれ又は編み込まれた生地の一方表面をウレタンフィルムでラミネートし、このウレタンフィルム表面を導電性樹脂によってコーティングしてなる導電性生地を用いたことを特徴とする。
【００１１】
請求項３の考案にあっては、導電性を有する靴底と中底とを備えた帯電防止靴において、その内側の適宜部位に前記請求項１又は請求項２に記載の導電性生地からなる導電布を中底ないし靴底と通電可能に縫着したことを特徴とする。
【００１２】
請求項４の考案にあっては、前記請求項１又は請求項２に記載の防塵服のズボン部表面と、前記請求項３に記載の帯電防止靴の内側に縫着された導電布表面とを適宜手段をもって通電可能に接続した防塵服及び帯電防止靴としたことを特徴とする。
【考案の効果】
【００１３】
請求項１の考案によれば、導電糸が適宜間隔で織編されているとともに一方表面を導電性樹脂によってコーティングされた導電性生地によって構成されているため、発生した静電気を導電糸を通じて放電減衰させ、加えて、生地表面にコーティングされた導電性樹脂層を通じて放電減衰させるので、より除電効果の優れた防塵服となっている。
しかも、生地表面の全体を導電性樹脂によってコーティングしたことにより、前身頃、後身頃、袖、ズボン部等の各パーツ地を通常手段で縫合するだけで、各パーツ地全体が通電状態となって防塵服全体の電位が平準化し、これにより、各パーツ毎に電圧値が異なることから生じる静電気障害を有効に防止することができる。
【００１４】
請求項２の考案によれば、生地と導電性樹脂との間にウレタンフィルムを介在させているため、前記請求項１の考案の効果を損なうことなく、導電性樹脂の定着性や耐久性を高めることができ、しかも、縫製時における導電糸のばらけを抑制することができる。また、風合いについても柔軟性や伸縮性をより向上させることができる。
【００１５】
請求項３の考案によれば、靴内側に導電性生地からなる導電布を中底ないし靴底と通電するよう縫着してあるため、その分靴内側における導電域が広がる結果となり、中底のみならず縫着されたこの導電布に接した箇所からも中底ないし靴底を介して静電気を床に逃すことができ、除電効果のより優れた帯電防止靴とすることができる。
【００１６】
請求項４の考案によれば、防塵服のズボン部表面と帯電防止靴の内側に縫着した導電布との間の導電路が繋がり常に通電状態となっているため、防塵服や身体で発生した静電気を帯電防止靴を介してより確実に且つ効率よく床に逃すことができる。
【考案を実施するための最良の形態】
【００１７】
以下、本考案の一実施形態について図面に基づいて説明する。
図１は本実施形態の防塵服の正面図、図２は同背面図、図３及び図４は導電性生地の層構造を示す概略断面図である。
【００１８】
防塵服１０は、フード１１と防塵服本体１２とからなり、防塵服本体１２は、上衣を構成する前身頃１３、後身頃１４及び袖１５、下衣を構成するズボン前身１６、スボン後身１７等の各パーツ生地を縫合し繋ぎ服としたもので、前身頃中央部１８にファスナーを取り付けることによって前開き形式なっていて、腰回り１９、頸口２０、袖口２１及びズボン裾口２２にはそれぞれ絞り部が形成されている。そして、ズボン後身１７の裾口２２の中央部及びズボン後身１７の膝裏やや下方部には金属製のドット雄釦２３が取り付けられている。
なお、本実施形態例にあっては防塵服本体を繋ぎ型としているが、特にその形態に制約があるものではなく、上衣と下衣とが分離したセパレート型の防塵服であってもよく、また、フード部の有無やファスナーの取付位置又は着脱形式等は上記に限定されるものではない。
【００１９】
本考案の防塵服１０を構成する生地には、導電糸（ｂ）が格子状又はストライプ状に織り込まれ又は編み込まれた布帛を基生地（ａ）として、その片面を導電性樹脂（ｃ）によってコーティングしてなる導電性生地（図３参照）と、同じく導電糸（ｂ）が格子状又はストライプ状に織り込まれ又は編み込まれた布帛を基生地（ａ）として、その片面をウレタンフィルム（ｄ）でラミネートし、さらに、このウレタンフィルム（ｄ）の表面を導電性樹脂（ｃ）によってコーティングしてなる導電性生地（図４参照）とがある。本実施形態にあっては、後者の基生地（ａ）と導電性樹脂（ｃ）との間にウレタンフィルム（ｄ）を介在させた導電性生地（Ａ）を使用した。
【００２０】
なお、本実施形態における導電性生地（Ａ）にあっては、ポリエステルに導電性カーボンを被覆した導電繊維とポリエステル加工糸とを交撚した導電糸（ｂ）を格子状に織り込んだ布帛を基生地（ａ）とし、その片面を伸縮性のあるウレタンフィルム（ｄ）でラミネートし、さらに、このウレタンフィルム（ｄ）の表面に合成黒鉛を約０．５％、ポリマーを約１％含有させた水溶液からなる導電性樹脂（ｃ）をコーティングしたものを使用したが、基生地（ａ）、導電糸（ｂ）、導電性樹脂（ｃ）及びウレタンフィルム（ｄ）は特にこれに限定されるものではなく、防塵服の用途や生地の特性や種類などに応じて適宜好適なものを選択すればよい。    
【００２１】
次の表１は、本実施形態の防塵服で使用した導電性生地（Ａ）と、従来方法によって帯電防止加工された防塵服用生地（Ｂ）及び通常の防塵服用生地（Ｃ）との帯電性値を測定し比較したものである。この結果からも本考案の防塵服で使用した導電性生地（Ａ）の制電性が著しく優れているかが実証されている。
【表１】
0003152015.tif 000003
【００２２】
なお、ウレタンフィルムを介在させない導電糸が織り込まれ生地と導電性樹脂との二層構造からなる導電性生地（図３参照）によっても
同様の制電効果を発揮し得るが、導電性樹脂が生地表面にコーティングされているため生地の風合いを損ないごあごあ感が生じることは否めない。しかし、本実施形態のように生地と導電性樹脂との間にウレタンフィルムを介在させた三層構造の導電性生地（図４参照）とすれば、ウレタンフィルムの特性から生地の柔軟性や伸縮性を損なうことを防ぎ風合いの良い防塵服とすることができる。のみならず、ウレタンフィルムを介在させることによって導電性樹脂の定着性及び耐久性を向上させることができ、また、縫製時等における導電糸のばらけ現象も抑制することができる。
【００２３】
次に、本考案に係る帯電防止靴の実施形態について説明する。
図５は本考案の帯電防止靴が短靴である場合の一部切欠斜視図、図６は本考案の帯電防止靴が長靴である場合の斜視図である。
【００２４】
図５で示す帯電防止靴３０は、導電性を有する靴底３１と中底３２、表皮３３、裏皮３４及び踵クッション部３５で構成された短靴型のクリーンルーム用の作業靴で、内側踵中央部にあって中底３２から履口に至る縦ライン（ヒールライン）には前記防塵服１０で使用したのと同じ導電性生地（Ａ）からなる帯状の導電布３６が縫着されていて、その履口上端部には金属製のドット雌釦３７が取り付けられている。上記導電性を有する靴底３１及び中底３２は、導電性金属繊維又は導電性カーボンブラックの粉末や導電性繊維等の導電性物体が混入されている素材からなる。
【００２５】
なお、前記帯電防止靴３０の構成にあっては、帯状の導電布３６が内側ヒールラインに沿って縫着されているが、その縫着部位や形状等はこれに限定されるものではなく、例えば、クッション部３５を導電性生地（Ａ）によって被覆したものでも、また、裏皮３４それ自体を導電性生地（Ａ）によって構成したものであっても良い。
【００２６】
図６で示す帯電防止靴４０は、前記した短靴型の帯電防止靴３０と原理的には同様の構成からなる長靴型のクリーンルーム用の作業靴である。すなわち、導電性を有する靴底４１と中底４２、表皮４３、裏皮４４及び踵クッション部４５で構成され、内側踵中央部にあって中底４２から履口に至るヒールラインには前記防塵服１０で使用したのと同じ導電性生地（Ａ）からなる帯状の導電布４６が縫着されている。そして、その履口には履口カバー部４８が形成され、その後部中央には金属製のドット雌釦４７が取り付けられ、また、胴部前中央には開閉用のスライドファスナー４９が取り付けられている。
なお、帯状の導電布４６の縫着部位や形状等はこれに限定されるものではないことは、短靴型の帯電防止靴３０の場合と同様である。
【００２７】
このように、本実施形態による帯電防止靴３０（又は４０）では、その内側に導電性生地（Ａ）からなる帯状の導電布３６（又は４６）を縫着したことにより、その面積分靴内側における導電域が広がる。その結果、縫着された導電布３６（又は４６）に接した箇所からも中底３２（又は４２）ないし靴底３１（又は４１）に通電しこれらを介して静電気が床に放出されることとなる。
【００２８】
図７〜図１０は前記実施形態の防塵服と帯電防止靴とを接合使用した状態を示したもので、図７は帯電防止靴が短靴である場合の部分説明図、図８は同断面図である。また、図９は帯電防止靴が長靴である場合の部分説明図、図１０は同断面図である。
【００２９】
前述のとおり、防塵服１０は表面が導電性樹脂（ｃ）によってコーティングされた導電性生地（Ａ）によって構成され、そのズボン後身１７の裾口２２の中央部又はズボン後身１７の膝裏やや下方部には金属製のドット雄釦２３が取り付けられている。一方、帯電防止靴３０（又は４０）には、ヒールラインに沿って表面が導電性樹脂（ｃ）によってコーティングされた導電性生地（Ａ）からなる帯状の導電布３６（又は４６）が縫着されていて、その上端履口部には金属製のドット雌釦３７（又は４７）が取り付けられている。このドット雄釦２３とドット雌釦３７（又は４７）とを嵌合させることにより、防塵服１０と帯電防止靴３０（又は４０）とは連接したものとなる。
【００３０】
この連接によって防塵服１０と帯電防止靴３０（又は４０）とは常に通電状態となり、防塵服１０で発生した静電気は、導電布３６（又は４６）を通り中底３２（又は４２）ないし靴底３１（又は４１）を介して効率よく床に逃すことできる。    
【００３１】
以上のとおり、本考案による防塵服及び帯電防止靴は、身体や防塵服に発生した静電気を大気中に効率よく放出することができるとともに、帯電防止靴を介して静電気を床に確実に逃がすことができるため、特に静電気障害を嫌う電子部品を取り扱うクリーンルームで使用される作業服及び作業靴としては極めて有効である。
【図面の簡単な説明】
【００３２】
【図１】本実施形態の防塵服の正面図
【図２】同上背面図
【図３】導電糸が織り込まれ生地の一方表面を導電性樹脂によってコーティングされた導電性生地の層構造を示す概略断面図
【図４】本実施形態の導電性生地の層構造を示す概略断面図
【図５】本実施形態の帯電防止靴（短靴）の一部切欠斜視図
【図６】本実施形態の帯電防止靴（長靴）の斜視図
【図７】本実施形態の防塵服及び帯電防止靴（短靴）との接合状態を示す部分説明図
【図８】同上部分断面図
【図９】本実施形態の防塵服及び帯電防止靴（長靴）との接合状態を示す部分説明図
【図１０】同上部分断面図
【符号の説明】
【００３３】
（Ａ）  導電性生地
（ａ）  基生地
（ｂ）  導電糸
（ｃ）  導電性樹脂
（ｄ）  ウレタンフィルム
１０ 防塵服
２２ ズボン裾口
２３ ドット雄釦
３０，４０  帯電防止靴
３１，４１  靴底
３２，４２  中底
３６，４６  導電布
３７，４７  ドット雌釦
【図１】
0003152015.tif 000004
【図２】
0003152015.tif 000005
【図３】
0003152015.tif 000006
【図４】
0003152015.tif 000007
【図５】
0003152015.tif 000008
【図６】
0003152015.tif 000009
【図７】
0003152015.tif 000010
【図８】
0003152015.tif 000011
【図９】
0003152015.tif 000012
【図１０】
0003152015.tif 000013
【手続補正書】
【提出日】平成21年5月7日(2009.5.7)
【手続補正１】
【補正対象書類名】実用新案登録請求の範囲
【補正対象項目名】請求項３
【補正方法】変更
【補正の内容】
【請求項３】
導電性を有する靴底と中底とを備え、その内側適宜部位に、導電糸が格子状又はストライプ状に織り込まれ又は編み込まれた生地の一方表面を導電性樹脂によってコーティングしてなる導電性生地又は導電糸が格子状又はストライプ状に織り込まれ又は編み込まれた生地の一方表面をウレタンフィルムでラミネートし、さらに、当該ウレタンフィルム表面を導電性樹脂によってコーティングしてなる導電性生地からなる導電布を、前記中底ないし靴底と通電するよう縫着したことを特徴とする帯電防止靴。